(57)【要約】【課題】ディスプレイの表示面の前方に移動可能に配置される環状部材の光源への電気配線のうち、環状部材の移動に伴い移動又は変形する部分の保護を図ること。【解決手段】ベース部材４１に対して移動可能に支持された移動部材４２に取着した中継基板４３に、液晶ディスプレイ前方のリング部材の発光部に電源を供給するＦＰＣ２２の終端部２２ａ，２２ａが接続されるコネクタ４３ａ，４３ａと、ベース部材４１に途中で固定されて移動部材４２とベース部材４１との間に配設されたＦＦＣ４４の終端部４４ａが接続されるコネクタ４３ｂとを設け、中継基板４３と共に移動部材４２に取着されるカバーユニット４５のカバー板４５ｂに設けた抑え片４５ｅ，４５ｅ，４５ｆにより、ＦＰＣ２２，４４の終端部２２ａ，２２ａ，４４ａを中継基板４３との間で押さえ込む。【選択図】図４
2008032973.tif 000002
【特許請求の範囲】
【請求項１】
ディスプレイの表示面の前方に配置されて表示面上の一部領域を囲むように視認される環状部材に連結された移動部材を、該移動部材を支持するベース部材に対して移動させることで、前記表示面に沿って前記環状部材を移動させる表示装置において、前記環状部材の発光部を発光させる前記環状部材内の光源に電源を供給するために、前記環状部材と前記ベース部材側との間に電気配線を延設した表示装置であって、
前記電気配線は、前記移動部材に取着された中継基板と、該中継基板と前記環状部材との間に延設される第１の配線と、前記中継基板と前記ベース部材側との間に延設される第２の配線とを有しており、
前記第２の配線は、前記移動部材の前記ベース部材に対する移動に伴ってその位置が前記第２の配線の延在方向において変化する折り返し部分を有しており、
前記移動部材に取着され、前記折り返し部分を挟んで前記ベース部材側の第２の配線部分と前記移動部材側の第２の配線部分との間隔を所定寸法に保つ間隔調整片が、設けられている、
ことを特徴とする表示装置。
【請求項２】
前記中継基板は、前記第１の配線の終端部が接続される第１のコネクタと、前記第２の配線の終端部が接続される第２のコネクタとのうち、少なくとも一方のコネクタを有しており、前記間隔調整片を前記移動部材に取着した状態で、前記終端部に弾接し該終端部を前記コネクタから抜落不能に前記中継基板に対して固定する抑え片が、前記間隔調整片と一体に形成されている請求項１記載の表示装置。
【請求項３】
前記中継基板と共に前記移動部材に取着されて該中継基板を内部に収容する基板ケースをさらに備えており、該基板ケースに前記間隔調整片が形成されている請求項１又は２記載の表示装置。
【発明の詳細な説明】
【技術分野】
【０００１】
本発明は、液晶ディスプレイや有機ＥＬディスプレイ、プラズマディスプレイ等の表示装置に関するものである。
【背景技術】
【０００２】
例えば車両における各種表示を行うコンビネーションメータには、アナログ計器でそれまで表示していた情報を液晶ディスプレイ等によりデジタル表示するようにしたものがあるが（例えば特許文献１，２）、それらは単に液晶ディスプレイ等における表示内容を適宜切り換えるだけのものであり、表示が平面的であることからメリハリに欠けるという側面があった。
【０００３】
そこで本出願人は過去に、液晶ディスプレイの表示面の前方にその表示面に沿って移動可能に配置した環状部材により、液晶ディスプレイの表示面上の一部領域を囲むように表示面の前方から視認させる車両用表示装置を提案した（特許文献３）。
【特許文献１】特開昭６２−５８１１２号公報
【特許文献２】特開平１１−２４８４９０号公報
【特許文献３】特開２００５−２４１６２６号公報
【発明の開示】
【発明が解決しようとする課題】
【０００４】
ところで、本出願人は、環状部材に所定間隔で複数のＬＥＤ発光部を設け、これらＬＥＤ発光部を順次発光させるて環状部材があたかも回転しているかのように視認させる等の、表示にエンターテインメント性を持たせた車両用表示装置を、特願２００４−３１８８６２において提案している。
【０００５】
このような車両用表示装置では、各ＬＥＤ発光部のＬＥＤに電流を流すための電気配線を、ドライバ回路との間に設ける必要があり、その場合には、環状部材側が移動するのに対してドライバ回路側が固定配置であることを考慮して、ＦＰＣ（フレキシブル配線基板）やＦＦＣ（フレキシブルフラットケーブル）等の可撓性の配線材料を用いることが考えられる。
【０００６】
その場合には、環状部材側の移動に伴うストレスが配線材料に加わって断線等の支障を生じることがないように、環状部材側の移動に追従して移動又は変形する配線材料部分の保護を図ることが重要となる。
【０００７】
本発明は前記事情に鑑みなされたもので、本発明の目的は、上記した車両用表示装置を始めとする、液晶ディスプレイや有機ＥＬディスプレイ、プラズマディスプレイ等のディスプレイの表示面の前方に配置されて表示面上の一部領域を囲むように視認される環状部材を、ディスプレイの表示面に沿って移動させる表示装置において、環状部材の前面側に複数の発光部を設けて各発光部を環状部材の内部に収納した複数の光源によりそれぞれ発光させる場合、環状部材側の移動に追従して移動又は変形する配線材料部分の保護を図ることができる表示装置を提供することにある。
【課題を解決するための手段】
【０００８】
前記目的を達成するため請求項１に記載した本発明の表示装置は、ディスプレイの表示面の前方に配置されて表示面上の一部領域を囲むように視認される環状部材に連結された移動部材を、該移動部材を支持するベース部材に対して移動させることで、前記表示面に沿って前記環状部材を移動させる表示装置において、前記環状部材の発光部を発光させる前記環状部材内の光源に電源を供給するために、前記環状部材と前記ベース部材側との間に電気配線を延設した表示装置であって、前記電気配線が、前記移動部材に取着された中継基板と、該中継基板と前記環状部材との間に延設される第１の配線と、前記中継基板と前記ベース部材側との間に延設される第２の配線とを有しており、前記第２の配線が、前記移動部材の前記ベース部材に対する移動に伴ってその位置が前記第２の配線の延在方向において変化する折り返し部分を有しており、前記移動部材に取着され、前記折り返し部分を挟んで前記ベース部材側の第２の配線部分と前記移動部材側の第２の配線部分との間隔を所定寸法に保つ間隔調整片が、設けられていることを特徴とする。
【０００９】
また、請求項２に記載した本発明の表示装置は、請求項１に記載した本発明の表示装置において、前記中継基板が、前記第１の配線の終端部が接続される第１のコネクタと、前記第２の配線の終端部が接続される第２のコネクタとのうち、少なくとも一方のコネクタを有しており、前記間隔調整片を前記移動部材に取着した状態で、前記終端部に弾接し該終端部を前記コネクタから抜落不能に前記中継基板に対して固定する抑え片が、前記間隔調整片と一体に形成されている構成とした。
【００１０】
さらに、請求項３に記載した本発明の表示装置は、請求項１又は２に記載した本発明の表示装置において、前記中継基板と共に前記移動部材に取着されて該中継基板を内部に収容する基板ケースをさらに備えており、該基板ケースに前記間隔調整片が形成されている構成とした。
【発明の効果】
【００１１】
請求項１に記載した本発明の表示装置によれば、移動部材に取着される間隔調整片により、折り返し部分を挟んでベース部材側の第２の配線部分と移動部材側の第２の配線部分との間隔を所定寸法に保たれることから、この所定寸法を、折り返し部分の曲率半径がこの折り返し部分に断線等の支障を生じない寸法以上となる値に設定することで、移動部材（乃至環状部材）がベース部材に対する移動範囲のいずれの位置にあっても、断線等の支障が生じないように第２の配線の折り返し部分を保護することができる。
【００１２】
また、請求項２に記載した本発明の表示装置によれば、請求項１に記載した本発明の表示装置において、間隔調整片を移動部材に取着した状態で、間隔調整片と一体に形成された抑え片が、中継基板に設けられたコネクタに接続される第１の配線と第２の配線とのうち少なくとも一方の終端部に弾接して、接続先のコネクタからの抜落を不能とすることから、移動部材（乃至環状部材）のベース部材に対する移動に伴う振動等によりコネクタから配線の終端部が外れて、中継基板を介した環状部材側とベース部材側との間の電気配線による電気的接続状態が断たれてしまうのを、防止することができる。
【００１３】
さらに、請求項３に記載した本発明の表示装置によれば、請求項１又は２に記載した本発明の表示装置において、移動部材に取着された状態で中継基板が基板ケースに収容されることから、移動部材（乃至環状部材）のベース部材に対する移動に伴い、中継基板の経年劣化した材料粉がその切断面から離脱しても、基板ケース内で保持されてその外部に飛散することがない。
【００１４】
このため、経年劣化した中継基板の材料粉が移動部材（乃至環状部材）の周辺に飛散して移動部材（乃至環状部材）の移動用駆動機構の動作に悪影響を与えるのを防止することができる。
【発明を実施するための最良の形態】
【００１５】
以下、本発明の実施形態について図面を参照しながら説明する。
【００１６】
図１は本発明の表示装置の一実施形態に係る車両用表示装置を示す前面側から見た分解斜視図、図２は図１の車両用表氏装置の裏面側から見た分解斜視図、図３は図１及び図２に示す環状部材周りの拡大分解斜視図、図４は図２に示す移動部材周りでの電気配線の状態を示す要部拡大分解斜視図、図５は図４に示すカバーユニットの抑え片の折り返し状態における斜視図、図６は図５のカバーユニットの下方から見た移動部材周りの要部拡大説明図である。
【００１７】
図１おいて、車両用表示装置１は、リング部材（請求項中の環状部材に相当）２と、液晶ディスプレイ（以下、ＬＣＤと略記する。請求項中のディスプレイに相当）３と、リング部材２に連結されてリング部材２を移動させるための移動機構４と、裏ケース５とからなり、これらを組み付けて構成される。
【００１８】
リング部材２は、ＬＣＤ３の表示面３ａの前面のほぼ中央に配置され、ＬＣＤ３の裏面に配置された移動機構４の駆動により、水平方向に直線移動可能になっている。
【００１９】
リング部材２は、不透明なプラスチック材料から形成され、中央に形成された円形の開口部２ａにはレンズ６が嵌合されている。レンズ６は、凸型、凹型等のいずれの形状のものでも良いが、ここでは凸型レンズを用いている。
【００２０】
移動機構４は、図２に示すように、ＬＣＤ３の後方に配置されたベース部材４１の上下のレール４８に支持されている移動部材４２を、リニアタイプのリードスクリュー一体型モータ４７により、ベース部材４１に対して水平方向に移動させることで、移動部材４２の上端の取付片４２ｂに取付部２ｂを介して取り付けられたリング部材２を、図１に示すＬＣＤ３の表示面３ａの前方で水平方向に移動させるように構成されている。
【００２１】
ＬＣＤ３の表示面３ａには、車両の走行状態を示す種々の情報を表示することができる。たとえば、表示面３ａには、車両の走行状態の計測量を示す略円形の文字板及び指針に相当する表示意匠を表示面３ａの中央位置に表示することができる。この表示意匠の例としては、エンジン回転数を指示するためのタコメータであり、その外周付近にタコメータ用目盛が表示される。また、エンジンをかけた時の実際のエンジン回転数計測量に対応して回転してタコメータ用目盛を指示する指針も表示される。円形文字板と指針の表示は、アナログ指示計器を構成する。表示面３ａの中央位置以外の領域には、タコメータ以外のメータや関連情報等の表示が行われる。
【００２２】
車両用表示装置１は、リング部材２の移動に同期して、タコメータの表示意匠も表示面３ａの中央位置から移動させ、タコメータの表示意匠が、常にリング部材２に囲まれるように表示させる。
【００２３】
尚、ＬＣＤ３による意匠表示は、その文字板をリング部材２の内側で回転移動させることもでき、例えば意匠表示がタコメータである場合には、文字板のセーフティーゾーン（０〜６０００回転；数字目盛「０」〜「６」）やレッドゾーン（７０００〜８０００回転；数字目盛「７」および「８」）のリング部材２に対する相対位置が変わる。
【００２４】
そのため、本実施形態の車両用表示装置１では、ＬＣＤ３による意匠表示の回転移動に合わせて例えばタコメータにおけるセーフティーゾーンやレッドゾーンの目盛の位置を移動して表示させるために、リング部材２の前面に所定の間隔（たとえば、等間隔）で複数（たとえば、１２個）の発光部２Ａ〜２Ｌが設けられている。発光部２Ａ〜２Ｌは、表示意匠の目盛における各数字の位置に合わせて形成されたスリットで構成されており、各数字に対応する目盛として役立つ。
【００２５】
これらの発光部２Ａ〜２Ｌのうち、タコメータのセーフティーゾーンを示す０〜６０００回転を指示する数字目盛「０」〜「６」に対応する位置にある発光部は白色で発光表示され、円形文字板の右下付近に表示されるレッドゾーンを示す７０００〜８０００回転を指示する数字目盛「７」および「８」に対応する位置にある発光部は赤色で発光表示され、数字目盛のない位置にある発光部は発光表示されない。
【００２６】
したがって、ＬＣＤ３により文字板の意匠表示が回転移動されると、回転移動後のセーフティーゾーン（数字目盛「０」〜「６」）やレッドゾーン（数字目盛「７」および「８」）、数字目盛のない位置に合わせて、白色、赤色で発光表示される発光部や消灯される発光部の位置が変更されることになる。
【００２７】
各発光部２Ａ〜２Ｌを適宜発光表示させるために、リング部材２の内部には、図３に示すように、白色及び赤色の２色を発光するＬＥＤ２３（請求項中の光源に相当）と、このＬＥＤ２３が各発光部２Ａ〜２Ｌに対応して所定の間隔で複数実装された配線用の環状のＦＰＣ２２（請求項中の第１の配線に相当）と、各ＬＥＤ２３からの光を対応する発光部２Ａ〜２Ｌに導く導光部２１１を複数連結した環状の導光部材２１とが収納される。
【００２８】
このうちＦＰＣ２２は、抑え部材２４を介してリング部材２にねじ止め固定される前記取付部２ｂに沿って、リング部材２の内部から引き出され、そのＦＰＣ２２の二股に分かれた終端部２２ａ，２２ａは、図４に示すように、カバーユニット４５（請求項中の基板ケースに相当）のベース板４５ａを介して移動部材４２の上部に取り付けられる中継基板４３のコネクタ４３ａ，４３ａ（請求項中の第１のコネクタに相当）に挿入接続される。
【００２９】
また、中継基板４３のコネクタ４３ｂ（請求項中の第２のコネクタに相当）には、途中をストッパ部材４４ｃによりベース部材４１に固定されてベース部材４１と移動部材４２との間に延設された、不図示の基板ユニットからのＦＦＣ４４（請求項中の第２の配線に相当）の、折り返し部分４４ｂ（図５参照）において折り返して向きを変えた終端部４４ａが挿入接続される。
【００３０】
前記カバーユニット４５は、中継基板４３に重ねるようにベース板４５ａに対して折り返し可能に接続されたカバー板４５ｂを有しており、このカバー板４５ｂには、ベース板４５ａに対して折り返した状態でコネクタ４３ａ，４３ａやコネクタ４３ｂを露出させる開口４５ｃ，４５ｄが形成されていると共に、この開口４５ｃ，４５ｄに隣接して、コネクタ４３ａ，４３ａやコネクタ４３ｂに挿入接続されたＦＰＣ２２の終端部２２ａ，２２ａやＦＦＣ４４の終端部４４ａに弾接し、これら終端部２２ａ，２２ａ，４４ａを中継基板４３との間で押さえ込む抑え片４５ｅ，４５ｅ，４５ｆが設けられている。
【００３１】
また、カバーユニット４５のカバー板４５ｂには、中継基板４３に重ねるようにベース板４５ａに対して折り返した状態で、ＦＦＣ４４の折り返し部分４４ｂよりも終端部４４ａ側の部分とベース部材４１との間隔を所定寸法に保つための間隔調整片４５ｇが、一体に形成されている。
【００３２】
尚、上述した、ＦＦＣ４４の折り返し部分４４ｂよりも終端部４４ａ側の部分とベース部材４１との所定寸法は、折り返し部分４４ｂの曲率半径が断線等の支障を生じない寸法以上となる値に設定される。
【００３３】
また、間隔調整片４５ｇは、中継基板４３に重ねるようにカバーユニット４５のカバー板４５ｂをベース板４５ａに対して折り返した状態で、移動部材４２乃至リング部材２が移動範囲のいずれの位置にあっても、コネクタ４３ｂに終端部４４ａが挿入接続されたＦＦＣ４４の折り返し部分４４ｂから終端部４４ａ側の部分を、常にカバーするように構成されている。
【００３４】
ちなみに、中継基板４３やカバーユニット４５の移動部材４２に対する固定は、図５に示すように、中継基板４３に重ねるようにカバーユニット４５のカバー板４５ｂをベース板４５ａに対して折り返した状態で、カバー板４５ｂ、中継基板４３、及び、ベース板４５ａを貫通する取り付けねじ４６によって行われる。
【００３５】
また、図４及び図５中引用符号４５ｈは、中継基板４３に重ねるようにカバーユニット４５のカバー板４５ｂをベース板４５ａに対して折り返した状態でＦＰＣ２２の二股に分かれた終端部２２ａ，２２ａを保護するカバー片を示す。
【００３６】
尚、取り付けねじ４６によって中継基板４３と共に移動部材４２に固定されたカバーユニット４５のカバー板４５ｂの抑え片４５ｆが、コネクタ４３ｂに挿入接続されたＦＦＣ４４の終端部４４ａに弾接し、中継基板４３との間で押さえ込んでいる状態を、図６に示す。
【００３７】
さらに、図４に示すように、カバーユニット４５のカバー板４５ｂには、中継基板４３に重ねるようにベース板４５ａに対して折り返して中継基板４３と共にカバーユニット４５を、取り付けねじ４６によって移動部材４２に取着した状態で、中継基板４３が内部に収容される収容部４５ｊが形成されている。
【００３８】
この収容部４５ｊは、内部に中継基板４３を収容した状態で、中継基板４３の少なくとも鉛直方向下方に臨む各端面の下側に、収容部４５ｊの内周壁が対向して配置されるように構成されている。
【００３９】
以上のように構成された本実施形態の車両用表示装置１では、カバーユニット４５のカバー板４５ｂに一体に形成された間隔調整片４５ｇが、ＦＦＣ４４の折り返し部分４４ｂよりもよりも終端部４４ａ側の部分とベース部材４１との間隔を、所定寸法に保つことから、移動部材４２乃至リング部材２の移動に追従して位置が変化するＦＦＣ４４の折り返し部分４４ｂの曲率半径を、移動部材４２乃至リング部材２が移動範囲のいずれの位置にあっても、断線等の支障を生じない寸法以上に保ち、断線等の支障から保護することができる。
【００４０】
尚、カバーユニット４５のカバー板４５ｂに設けた抑え片４５ｅ，４５ｅや抑え片４５ｆのうち一方又は両方は、省略してもよいが、特に、本実施形態のように、ＦＰＣ２２の終端部２２ａ，２２ａやＦＦＣ４４の終端部４４ａを中継基板４３のコネクタ４３ａ，４３ａやコネクタ４３ｂに挿入接続する構成とする場合、抑え片４５ｅ，４５ｅや抑え片４５ｆを設ければ、移動部材４２（乃至リング部材２）の移動による振動等で、コネクタ４３ａ，４３ａ，４３ｂからＦＰＣ２２やＦＦＣ４４の終端部２２ａ，２２ａ，４４ａが抜け落ちて、ＬＥＤ２３への電源供給が絶たれてしまうのを防止することができるので、有利である。
【００４１】
また、ＦＰＣ２２やＦＦＣ４４の終端部２２ａ，２２ａ，４４ａの中継基板４３への接続が、コネクタ４３ａ，４３ａ，４３ｂではなく半田付け等によって行われる場合であっても、上述した抑え片４５ｅ，４５ｅや抑え片４５ｆをカバーユニット４５のカバー板４５ｂに設ける構成を採用して、上述したような効果を得ることができる。
【００４２】
さらに、カバーユニット４５のカバー板４５ｂに設けた収容部４５ｊの内周壁を、カバーユニット４５と共に取り付けねじ４６によって移動部材４２に取着した中継基板４３の少なくとも鉛直方向下方に臨む各端面の下側に臨むように配置するための構成は、省略してもよい。
【００４３】
しかし、本実施形態の車両用表示装置１のようにこの構成を採用した方が、経年劣化により中継基板４３の切断面（端面）から中継基板４３の材料であるガラスエポキシ等の粉が離脱して移動部材４２の周辺に飛散し、リードスクリュー一体型モータ４７の内部等、移動部材４２（乃至リング部材２）の移動用駆動機構に付着してその駆動の妨げとなるのを防止し、収容部４５ｊの内部に止めておくことができるようになるので、有利である。
【００４４】
ちなみに、カバーユニット４５の収容部４５ｊは、本実施形態のようにカバー板４５ｂ側に設けてもよく、反対に、ベース板４５ａ側に設けてもよい。
【００４５】
また、上述した実施形態では、リニアタイプのリードスクリュー一体型モータ４７によりベース部材４１に対して移動部材４２を水平方向に移動させる場合を例に取って説明したが、本発明は、例えばステッピングモータからギア列やラックピニオン機構等を介して伝達される動力により移動部材４２をベース部材４１に対して水平方向に移動させる場合など、リニアタイプのモータ以外の駆動源を用いて移動部材４２をベース部材４１に対して移動させる構成の表示装置についても、適用可能である。
【００４６】
さらに、上述した実施形態では、ディスプレイとしてＬＣＤを用いているが、本発明では、表示内容を電気プログラム的に変化させることができるものであれば、これに限らず、有機ＥＬやプラズマディスプレイ等の他の表示素子を用いることができる。
【００４７】
また、リング部材２は、円形に限らず、たとえば四角形等の多角形状や、円の一部が直線となっている形状などの、表示を仕切る環状の形状であれば良い。
【００４８】
さらに、上述した実施形態では、車両用表示装置１を例に取って本発明を説明したが、本発明は車両用表示装置に限らず、ディスプレイの表示面の前方にその表示面に沿って移動可能に配置した環状部材により、ディスプレイの表示面上の一部領域を囲むように表示面の前方から視認させる構成の表示装置であれば、車両用以外の用途のものであっても適用可能である。
【図面の簡単な説明】
【００４９】
【図１】本発明の表示装置の一実施形態に係る車両用表示装置を示す前面側から見た分解斜視図である。
【図２】図１の車両用表氏装置の裏面側から見た分解斜視図である。
【図３】図１及び図２に示す環状部材周りの拡大分解斜視図である。
【図４】図２に示す移動部材周りでの電気配線の状態を示す要部拡大分解斜視図である。
【図５】図４に示すカバーユニットの抑え片の折り返し状態における斜視図である。
【図６】図５のカバーユニットの下方から見た移動部材周りの要部拡大説明図である。
【符号の説明】
【００５０】
１  車両用表示装置
２  リング部材（環状部材）
２２  ＦＰＣ（電気配線、第１の配線）
２２ａ，４４ａ  終端部
２３  ＬＥＤ（光源）
２Ａ〜２Ｌ  発光部
３  液晶ディスプレイ（ディスプレイ）
３ａ  表示面
４１  ベース部材
４２  移動部材
４３  中継基板
４３ａ  コネクタ（第１のコネクタ）
４３ｂ  コネクタ（第２のコネクタ）
４４  ＦＦＣ（電気配線、第２の配線）
４４ｂ  折り返し部分
４５  カバーユニット（基板ケース）
４５ｅ，４５ｆ  抑え片
４５ｇ  間隔調整片
【図１】
2008032973.tif 000003
【図２】
2008032973.tif 000004
【図３】
2008032973.tif 000005
【図４】
2008032973.tif 000006
【図５】
2008032973.tif 000007
【図６】
2008032973.tif 000008